(57)【特許請求の範囲】
【請求項１】
収穫搬送装置（１）から根菜類を受け継いで、その葉茎部を挟持して吊り下げて車体（５）の後方に向かって搬送する肩揃えベルト（２）を設け、該肩揃えベルト（２）の搬送方向下手側に葉茎切断装置（３）を装備して設け、該葉茎切断装置（３）と前記肩揃えベルト（２）との下方位置に残葉処理装置（３０）を配置して構成し、該残葉処理装置（３０）は、受け継いだ根菜類を車体（５）に対して横方向に搬送する残葉処理ベルト（３０ａ）上で処理ロ−ラ（３０ｂ）により処理する構成とし、前記残葉処理ベルト（３０ａ）に沿わせて選別供給ベルト（３２）を設け、該選別供給ベルト（３２）は、前記残葉処理ベルト（３０ａ）で搬送されてきた根菜類を引き継いで搬送して選別コンベア（４２）に供給する構成とし、該選別コンベア（４２）の終端部下方には、根菜類を収納するコンテナ（４０）を載置したコンテナ台（４１）を設け、さらに、該コンテナ台（４１）を昇降させるダンプレバー（４３）を設け、前記選別コンベア（４２）のテンションクラッチ（４４）を入り切りする選別クラッチレバー（４５）を設け、前記ダンプレバー（４３）を操作してコンテナ台（４１）を上昇させると、選別クラッチレバー（４５）を操作しなくても選別コンベア（４２）のテンションクラッチ（４４）が入り状態となる構成にすると共に、コンテナ台（４１）が上昇した状態のままで選別クラッチレバー（４５）を入り切り操作可能に構成したことを特徴とする野菜収穫機。
【発明の詳細な説明】
【０００１】
【発明の属する技術分野】
本発明は、野菜収穫機に関するものであって、農業機械の技術分野に属する。
【０００２】
【従来の技術】
従来の野菜収穫機は、走行装置を備えた車体上に、左右一対の挾持ベルトによって、圃場に植っている根菜類、例えば、人参や大根の葉茎部を挾持し、走行している車体と回転駆動されている挾持ベルトとの共同作用によって圃場から強制的に引き抜いて収穫する構成の引き抜き式の根菜収穫機や、補助作業者が、圃場から手作業によって収穫した野菜を収穫コンベヤ装置上に載置して車体側に搬送して収集する方式の野菜収穫機や、また、玉ねぎや馬鈴薯等のように土中に成育している野菜は、適宜深さの土中を進行する掘取機によって掘り取りながら収穫する構成の収穫機等がある。
【０００３】
【発明が解決しようとする課題】
上述した従来の野菜収穫機において、左右一対の挾持ベルトによって、圃場に植っている根菜類の葉茎を挟持して堀取る構成の堀取り装置は、後続する肩揃えベルトと葉茎切断装置とを軸架して、葉茎部を基部から切断して、果肉部を収穫する構成としている。このような従来の野菜収穫機は、葉茎切断装置を経由して葉茎を切断した後でも、根菜類の果肉部には葉茎が切り取られずに残っているものがあって、商品価値を損なったり、更には、事後の搬送途中でその残葉がちぎれてシュ−タ上やコンベヤ上に溜ったり、コンベヤの回転部分に絡み付く等の課題があった。
【０００４】
また、従来の野菜収穫機は、各機能装置を機体の前後に沿わせて配置した構成であるから、機体の前後長さが長くなって旋回時等に小回りが効かず、狭い圃場での作業に難儀する課題があった。
更に、従来型の野菜収穫機は、野菜を堀取る左右一対の挾持ベルトから肩揃えベルト、更に、残葉処理ベルト、シュ−タ−、搬送ベルトを経由して選別コンベヤを連続させて構成し、選別後、最終的にコンテナに充填されるまで、収穫野菜の受け継ぎ箇所が多く、一連の長い搬送経路となっている。したがって、従来のこの種の機械は、大型の構成となり、特に、各ベルトへの伝動機構が複雑で大型になると共に受け継ぎ部位が多いために、詰まりや停滞が発生して円滑な搬送がやりにくい課題があった。また、選別コンベアとコンテナ台昇降の操作が面倒であった。
【０００５】
【課題を解決するための手段】
本発明は、上述した課題を解決するために、次の如き技術手段を講ずるものである。  請求項１の発明は、収穫搬送装置１から根菜類を受け継いで、その葉茎部を挟持して吊り下げて車体５の後方に向かって搬送する肩揃えベルト２を設け、該肩揃えベルト２の搬送方向下手側に葉茎切断装置３を装備して設け、該葉茎切断装置３と前記肩揃えベルト２との下方位置に残葉処理装置３０を配置して構成し、該残葉処理装置３０は、受け継いだ根菜類を車体５に対して横方向に搬送する残葉処理ベルト３０ａ上で処理ロ−ラ３０ｂにより処理する構成とし、前記残葉処理ベルト３０ａに沿わせて選別供給ベルト３２を設け、該選別供給ベルト３２は、前記残葉処理ベルト３０ａで搬送されてきた根菜類を引き継いで搬送して選別コンベア４２に供給する構成とし、該選別コンベア４２の終端部下方には、根菜類を収納するコンテナ４０を載置したコンテナ台４１を設け、さらに、該コンテナ台４１を昇降させるダンプレバー４３を設け、前記選別コンベア４２のテンションクラッチ４４を入り切りする選別クラッチレバー４５を設け、前記ダンプレバー４３を操作してコンテナ台４１を上昇させると、選別クラッチレバー４５を操作しなくても選別コンベア４２のテンションクラッチ４４が入り状態となる構成にすると共に、コンテナ台４１が上昇した状態のままで選別クラッチレバー４５を入り切り操作可能に構成したことを特徴とする野菜収穫機としたものである。
肩揃えベルトによって送られた根菜類は、葉茎切断装置により切断されると、下側の残葉処理装置に落下して果肉部に切断されずに残っている葉茎が取り除かれ、商品価値を高めることができる。そして、本案は、その後の搬送装置において、葉茎が絡み付く等の従来の課題を未然に解消している。
【０００６】
また、根菜類の残葉は、残葉処理ベルト３０ａ上で処理ロ−ラ３０ｂにより処理され、選別供給ベルト３２に供給される。その後、選別コンベア４２に供給されて根菜類を選別する。
【０００７】
また、ダンプレバー４３でコンテナ４０を載置したコンテナ台４１を昇降し、選別クラッチレバー４５で選別コンベア４２の駆動を入り切りする。そして、ダンプレバー４３を操作してコンテナ台４１を上昇させると、選別クラッチレバー４５を操作しなくても選別コンベア４２のテンションクラッチ４４が入り状態となる。コンテナ台４１が上昇した状態のままで選別クラッチレバー４５を操作して選別コンベア４２の駆動を入り切りする。
【０００８】
【発明の効果】
本発明は、上述のように構成したから、葉茎切断後の残葉処理作用が速やかに行われ、商品価値を損なわず、事後の搬送過程で残葉が詰ったり絡み付く等がなくなった特徴がある。
【０００９】
また、ダンプレバー４３を操作してコンテナ台４１を上昇させると、選別クラッチレバー４５を操作しなくても選別コンベア４２のテンションクラッチ４４が入り状態となるので、操作が容易となる。
また、コンテナ台４１が上昇した状態のままで選別クラッチレバー４５を操作して選別コンベア４２の駆動を入り切りすることができるので、作業中に選別コンベア４２を停止させたい場合、迅速な対応が可能となる。
【００１０】
【発明の実施の形態】
以下、本発明の実施の形態について説明する。
まず、車体５は、図１、及び図２に示すように、前部の低位置に設けた走行ミッション装置８から両側に延長して設けているホィ−ルシャフトの駆動スプロケット９に、左右一対のクロ−ラ１０を設けて構成している。
【００１１】
そして、前記走行ミッション装置８は、車体５に搭載しているエンジンに伝動可能に連結し、変速装置、サイドクラッチ、サイドブレ−キ等を内装して、前記クロ−ラ１０を伝動する構成としている。そして、車体５は、図１に示すように、前部右側に操縦座席１１を配置して設け、その左側から後部、更には、右側のスペ−スを利用して、収穫搬送装置１（挟持ベルト１ａ、１ｂ）や一連の処理搬送装置である肩揃えベルト２、葉茎切断装置３、排葉ベルト１２、残葉処理装置４、選別供給ベルト７、選別コンベヤ６、収納コンテナ台１３を配置して人参の収穫機を構成している。
【００１２】
なお、本明細書で左側、及び右側は、車体５の進行方向に向かって見た状態を基準にして記載した。
そこで、まず、収穫搬送装置１は、具体的には、図１、及び図２に示すように、左右一対の挟持ベルト１ａ、１ｂからなり、始端部側を先端の左右に軸架した遊動プ−リ１４に巻回し、終端部側を左右の駆動プ−リ１５に巻回して構成している。そして、収穫搬送装置１は、図面から解るように、車体５の左側において、始端部を前方低部の地面近くに臨ませて、終端部を後方上部に位置させて傾斜状態に設け、前記駆動プ−リ１５から伝動する構成としている。実施例の場合、収穫搬送装置１は、具体的な図示は省略しているが、後部を車体５に一体として接続し、前方下方に向けて延長した機体フレ−ムに強固に連結支持し、機体フレ−ムの後部を回動支点に上下回動して昇降自由（挟持ベルト１ａ、１ｂの搬送始端部が上下調節）に調節ができる構成としている。
【００１３】
そして、収穫搬送装置１は、搬送始端部において、左右一対の挟持ベルト１ａ、１ｂで人参の葉茎部の基部（人参果肉部の肩に近い部分）を挟持して、車体５の前進作用と上方への搬送力とによって圃場面から引き抜きながら、吊り下げ状態で上方、後方に搬送して収穫する構成としている。
【００１４】
つぎに、肩揃えベルト２は、図１、及び図２に示すように、上記挟持ベルト１ａ、１ｂの終端部分の下方に配置して略水平状に設け、上述した左右一対の挟持ベルト１ａ、１ｂで搬送途中の人参を受け継いで後方に搬送する構成としている。この場合、肩揃えベルト２は、一対のベルトからなり、上述の挟持ベルト１ａ、１ｂとの関係で人参を上方に移動して肩部を揃えながら挟持して車体５の後方に搬送する構成としている。
【００１５】
そして、葉茎切断装置３は、左右一対の円板状の切断刃３ａ、３ｂからなるが、図２で解るように、上記肩揃えベルト２のすぐ後に軸架して設け、上側のタッピングベルト１６（図４参照）に挟持されて吊り下げ状態で供給された人参の葉茎の基部を切断する構成としている。そして、切断刃３ａ、３ｂは、実施例の場合、外周の刃縁部分が、図４、及び図５に示すように、右側３ａを左側３ｂの下側に配置して構成している。したがって、切断された人参は、図５に示すように、切断刃３ａの回転方向とも関連して、上部が付き回り状態に回転側に振り回されて下方の残葉処理装置４上に落下する構成としている。
【００１６】
このように構成すると、人参は、後述する残葉処理ベルト４ａ上に落下したとき上部（葉茎が付いていた部分）が、処理ロ−ラ４ｂに近い側に位置するから、残葉側が先に処理ロ−ラ４ｂに供給され易くなり、残葉処理が確実にできる。
そして、排葉ベルト１７は、図４に示すように、上記タッピングベルト１６の上側に設け、果肉部から切断された葉茎を左右から挟持して機外（後方）に排出する構成としている。
【００１７】
なお、上記タッピングベルト１６と排葉ベルト１７とは、図２では具体的に図示していないが、上側のケ−ス内に収納されている。
さて、つぎに、残葉処理装置４は、図１、乃至図３に示すように、残葉処理ベルト４ａと処理ロ−ラ４ｂとから構成し、上記肩揃えベルト２と葉茎切断装置３との下方に配置して構成している。この場合、残葉処理ベルト４ａは、図面から解るように、広幅にして選別供給ベルト７と一体に構成し、車体５の進行方向に対して横方向に人参を搬送する構成としている。そして、処理ロ−ラ４ｂは、図１、及び図３に示すように、上記残葉処理ベルト４ａの上面側において、ベルト４ａの搬送方向に対して車体５の後部側を搬送方向上手側にし、車体５の前部側を搬送下手側に位置させて斜めに軸架しており、人参の残葉をベルト４ａとの間に挟み込んで切り取るように取り除き処理する構成としている。
【００１８】
実施例の残葉処理装置４は、図面からも解るように、葉茎切断装置３の下側には比較的広い受け止めスペ−スを有する残葉処理ベルト４ａを設け、図６に示す実施例では、この部分の下側に緩衝部材１８を設けて構成している。このように緩衝部材１８を下側に敷くと、人参は、残葉処理ベルト４ａの受け止めスペ−ス上に落下したとき、緩衝部材１８により衝撃が吸収されて跳び撥ねたりすることがなくなって、落下後の姿勢が安定し事後の処理が適確にできる。
【００１９】
そして、選別供給ベルト７は、既に説明したように、残葉処理ベルト４ａを広幅にして一体構成（図１、及び図２参照）とし、残葉処理後の人参を終端部のシュ−タ１９を介して選別コンベヤ６の搬送始端部側に供給する構成としている。
そして、選別コンベヤ６は、図１に示すように、始端部で受け継いだ人参を搬送して後端部から、後方の収納コンテナ台１３上のコンテナ２０に供給する関係位置に構成している。そして、補助作業者は、上記選別コンベヤ６の側方（右側）に設けた座席２２に座って選別コンベヤ６上を送られてくる人参を目視によって不良品を選り分けて、良品を前述のようにコンテナ２０に収穫する構成としている。
【００２０】
そして、収納コンテナ台１３は、図７、乃至図１２に示すように、人参を充填したコンテナ２０を側部キャリァ２３上に押し出すと、つぎの空の予備コンテナ２１が滑り落ちて台１３上に送られる構成としている。この場合、予備コンテナ台２４は、図７、乃至図１０の構成例では後方位置にあり、図１１、及び図１２の構成例では側方位置に設けているが、いずれも予備コンテナ２１が滑り落ちる程度の傾斜角度を持たせて構成している。そして、予備コンテナ２１は、収納コンテナ台１３上にある人参を充填したコンテナ２０を側部のキャリァ２３（後述する後部キャリァ２３ｂ）上に押し出すと、空いたコンテナ台１３上に自動的に滑り落ちて供給される構成としている。
【００２１】
そして、側部キャリァ２３は、図１３に示すように、前部キャリァ２３ａと後部キャリア２３ｂをそれぞれ折り畳み収納式にしているが、実施例の場合、前部キャリァ２３ａは、図１３、及び図１４に示すように、操縦座席１１の乗降ステップ２５に受け止め支持させる構成としている。
【００２２】
図面において、２６は縦引起し装置、２７は横引起し装置、２８はサブソイラである。
つぎに、以上のように構成した野菜収穫機の作用について説明する。
まず、野菜収穫機は、エンジンを始動して、機体の回転各部を駆動しながら収穫搬送装置１の堀取り高さを予め設定し、クロ−ラ１０を伝動して車体５を圃場内に前進させながら人参の収穫作業を開始する。
【００２３】
すると、圃場に植えられている人参は、前部で地面に接するような低い位置から前進方向に突出して上方へ回転している縦引起し装置２６の作用圏内に達した葉茎部分が誘導案内され、更に、横引起し装置２７の作用を受けて引き起こされる。続いて、サブソイラ２８は、土中で振動を続けながら車体５の前進につれて人参の側部に達し、周囲の土壌を振動によって柔らかくし、引き抜き易い状態にして、その人参を挟持ベルト１ａ、１ｂの始端部が挟持して上方へ引き抜き作用をする。
【００２４】
このようにして、人参は、左右一対の挟持ベルト１ａ、１ｂに挟持されて上方に搬送され、肩揃えベルト２に達して持ち換えられ、後方に搬送方向が変更され、タッピングベルト１６（図４参照）に達して受け継ぎ搬送されながら、葉茎切断装置３によって葉茎が切り落とされる。
【００２５】
そして、人参は、図５に示すように、矢印の方向に回転している右の切断刃３ａの回転力を大きく受けて切断された葉茎側が処理ロ−ラ４ｂに近い側に落下する。このとき、人参は、図６に示すように、残葉処理ベルト４ａの上に落下するとベルトの下側に設けている緩衝部材１８に落下衝撃が吸収されて跳び撥ねたりすることがなく、落下後の姿勢が安定する。
【００２６】
このようにして、落下した人参は、残葉処理ベルト４ａの上を車体５に対して横方向（右方向）に送られながら、果肉部に残葉があれば処理ロ−ラ４ｂによってベルト４ａとの間に挟み込んで取り除かれ、果肉部がロ−ラ４ｂの傾斜に誘導されながら選別供給ベルト７側に移動し、シュ−タ１９を経て選別コンベヤ６に受け継ぎ供給される。
【００２７】
なお、取り除いた残葉は、残葉処理ベルト４ａの終端部に送って下側の圃場面に放擲する。
そして、人参は、選別コンベヤ６上を搬送される過程で座席２２に座った選別作業者によって不良品の選り分けが行われ、コンベヤ６の終端部から良品のみがコンテナ２０に充填される。
【００２８】
以上のように収穫作業を続け、人参を収穫したコンテナ２０がいっぱいになると、予備コンテナ台２４上の空の予備コンテナ２１と交換するが、そのとき、コンテナ２０を側部キャリァ２３上に押し出すと、予備コンテナ２１が、空いた収納コンテナ台１３上に自動的に滑り降りてくる。
【００２９】
このようにして、野菜収穫作業は、連続的に行なうが、本案発明の場合、葉茎切断後の残葉処理作用が速やかに行われ、商品価値を損なわず、事後の搬送過程で残葉が詰ったり絡み付く等がなくなった特徴がある。
そして、本案に係る野菜収穫機は、前後長さを短くすることができた特徴があり、そのため、狭い圃場でも小回りが効いて適確に旋回ができるものとなった。
【００３０】
そして、本案に係る野菜収穫機は、葉茎が切断されて上方から落下してくる根菜類を、広いベルト面によって確実に受け止めて残葉処理をすることができる。そして、本案は、残葉処理ベルト４ａの側部を広幅にして選別供給ベルト７を一体に構成したから、選別コンベヤ６までの受け継ぎ箇所が減って根菜類の果肉部が詰ったり、溜ったりする箇所がなくなり円滑な搬送ができる。
【００３１】
別実施例１
つぎに、図１５、乃至図１７に基づいて別実施例１を説明する。
別実施例１は、残葉処理装置３０に関し、全体の配置としては、葉茎切断装置３１の下方に残葉処理ベルト３０ａと処理ロ−ラ３０ｂとによって、前述した本件発明の実施例と同様の残葉処理装置３０を構成している。そして、選別供給ベルト３２は、前記残葉処理ベルト３０ａの側部に沿わせた状態で設け、ベルト３０ａ上から落下してきた人参を選別ベルト３３まで搬送して供給する構成としている。なお、選別供給ベルト３２の終端部と、選別ベルト３３との間には、連絡用のシュ−タを設ける場合が多い。
【００３２】
そして、シュ−タ３４は、図１５に示すように、前記残葉処理ベルト３０ａの始端部分、乃至中間部分の側部に沿わせて設け、その終端排出側を前記選別供給ベルト３２の始端部に臨ませて配置し、ベルト３０ａから落下してきた人参、葉茎の一部を受け止めて選別供給ベルト３２に供給する構成としている。
【００３３】
そして、掻込みロ−ラ３５は、図面に示すように、前記残葉処理ベルト３０ａの搬送中間部分の側縁位置に縦方向の軸によって軸架し、前記残葉処理ベルト３０ａの縁から下側（シュ−タ３４側）に落ちかかった葉茎や人参をベルト３０ａの中央側に掻き込む機能を発揮できる構成としている。この場合、掻込みロ−ラ３５は、図面から解るように、残葉処理ベルト３０ａの搬送下手側において、搬送方向に対して処理ロ−ラ３０ｂが傾斜した側（車体の進行方向の前側）に軸架した構成としている。
【００３４】
以上のように構成した別実施例１は、葉茎切断装置３１によって切断されて落下して残葉処理ベルト３０ａ上を処理ロ−ラ３０ｂ側に搬送されている葉茎の多少残った人参が、上記掻込みロ−ラ３５の作用を受けてベルト３０ａの中央側に掻き込まれて寄せられる。このようにして人参は、ベルト３０ａの側縁部分を搬送され半ば落ちかけ状態のものが、中央側に寄せられながら送られて処理ロ−ラ３０ｂに達して処理されるから、ベルト３０ａの側縁からシュ−タ３４や選別供給ベルト３２の始端部側に落下するものが著しく少なくなった。そして、人参は、処理ロ−ラ３０ｂによって適確に残葉の取り除き作用を受けた果肉部分が、そのロ−ラ３０ｂの処理終端部分から選別供給ベルト３５に落下し、一方、取り除かれた残葉は、ロ−ラ３０ｂの下側を通り抜けてベルト３０ａの終端から圃場面に廃棄される。
【００３５】
別実施例２
つぎに、図１８、乃至図２２に基づいて別実施例２を説明する。
従来から野菜収穫機は、作物を収穫するコンテナ４０のコンテナ台４１は、選別コンベヤ４２の終端部の下方に配置してダンプレバ−４３の操作によって昇降可能なダンプ方式の構成とし、充填する作物の落差を少なくして、損傷を極力防止するものとしている。又、一方、選別コンベヤ４２は、エンジン側から伝動される回転動力を断続するテンションクラッチ４４を設けて選別クラッチレバ−４５の入・切り操作によって駆動、停止の切り替えができる構成としている。
【００３６】
このように、従来の野菜収穫機は、選別作業の開始、又は停止（中断）にあたり、上記２つの操作レバ−４３、４５を各々単独に操作しなければならず、操作上煩雑で作業者の大きな負担となるばかりでなく、高速作業に適さない大きな課題があった。
【００３７】
そこで、別実施例２は、コンテナ台４１のダンプ操作とテンションクラッチ４４の入・切り操作とを連動して１操作で両者の作動を可能とし、操作の簡略化を図り高速作業への適応性を高めたものである。更に、別実施例２は、１操作で両者を連動して操作してコンテナ台４１をダンプ状態に持ち上げた状態のまま、テンションクラッチ４４の入・切り操作を可能にした優れたものである。
【００３８】
このように、別実施例２に係る選別コンベヤ４２は、コンテナ台４１をダンプ状態（上昇した状態）のままにして、クラッチを切り停止ができるから、作業中のトラブルへの迅速な対応が可能となり、他の作業にも応用ができる。そして、コンテナ台４１は、選別コンベヤ４２側のテンションクラッチ４４の入・切り操作に連動してダンプ作動が働き昇降させることもできる。
【００３９】
まず、コンテナ台４１は、図２０、乃至図２２に示すように、後部に回動自由の支持ア−ム４６を設けて支持し、上方に延長したダンプレバ−４３を設けて構成している。そして、支持ア−ム４６は、枢着部の後側にガスを封入したダンパ−シリンダ４７を連結し、張圧力を利用してダンプ作用と停止位置を確保できる構成としている。そして、連動ワイヤ−４８は、図２０に示すように、一方の端部を前記支持ア−ム４６に連結し、他方の端部を選別クラッチレバ−４５側において、基部を機体に枢着した作動杆４９の先端部に連結して構成している。
【００４０】
そして、選別クラッチレバ−４５は、中間部を機体に枢着して上部を操作部とし、下部を前記作動杆４９に基部を固着した案内部材５０の案内長孔５１に嵌合して構成している。そして、選別クラッチレバ−４５は、図面から解るように、枢着部位より下側に設けた操作ア−ム５２から操作ワイヤ−５３によってテンションクラッチ４４に連結して入・切り操作ができる構成としている。
【００４１】
そして、アウタ−ロック装置５５は、図２０、乃至図２２に示すように、前記支持ア−ム４６に連結した連動ア−ム５６と、ロット５７と、ロック具５８との順に連動可能に連結して構成している。そして、アウタ−ロック装置５５は、前記連動ワイヤ−４８のアウタ−の端部に連結したアウタ−プレ−ト５９を、コンテナ台４１が待機位置（図２０参照）にあるときロックし、コンテナ台４１がダンプ位置（図２１、図２２参照）にあるときにはロックを解除する構成としている。
【００４２】
つぎに、その連動関係を説明する。
まず、選別クラッチレバ−４５は、図２０に示すように、コンテナ台４１が通常の待機位置にある時には、案内部材５０に設けた案内長孔５１の範囲内において移動が可能であるから、その案内長孔５１に沿って自由に操作して操作ア−ム５２から操作ワイヤ−５３を介してテンションクラッチ４４の入・切り操作ができる。
【００４３】
つぎに、選別クラッチレバ−４５は、図２１に示すように、ダンプレバ−４３の操作によって支持ア−ム４６を回動させてダンパ−シリンダ４７の張圧力を利用しながらコンテナ台４１をダンプさせると、連動ワイヤ−４８が引かれて作動杆４９、案内部材５０、案内長孔５１、選別クラッチア−ム４５を作動させる。したがって、選別クラッチレバ−４５は、図２１に示すように、コンテナ台４１に連動して、操作ア−ム５２、操作ワイヤ−５３を介してテンションクラッチ４４を入りの状態に切り替えて、選別コンベヤ４２に回転動力が伝動される。そのとき、アウタ−ロック装置５５は、図面から解るように、連動ア−ム５６、ロット５７を介して連動されてロック具５８を作動して連動ワイヤ−４８のアウタ−プレ−ト５９を解除し、アウタ−を開放する。
【００４４】
つぎに、選別クラッチレバ−４５は、図２２に示すように、切り側に操作すると、連動ワイヤ−４８のアウタ−が、上述のように拘束を解かれた状態にあるから、案内長孔５１、案内部材５０を介して作動杆４９が作動しても、連動ワイヤ−４８が自由の状態にあって、操作ア−ム５２、操作ワイヤ−５３を介してテンションクラッチ４４の切り操作ができることになっている。
【図面の簡単な説明】
【図１】本発明の実施例であって、平面図である。
【図２】本発明の実施例であって、側面図である。
【図３】本発明の実施例であって、斜面図である。
【図４】本発明の実施例であって、断面して示す要部の背面図である。
【図５】本発明の実施例であって、作用を示す斜面図である。
【図６】本発明の実施例であって、残葉処理装置の側面図である。
【図７】本発明の実施例であって、平面図である。
【図８】本発明の実施例であって、平面図である。
【図９】本発明の実施例であって、側面図である。
【図１０】本発明の実施例であって、側面図である。
【図１１】本発明の実施例であって、背面図である。
【図１２】本発明の実施例であって、背面図である。
【図１３】本発明の実施例であって、平面図である。
【図１４】本発明の実施例であって、背面図である。
【図１５】本発明の別実施例１であって、要部の斜面図である。
【図１６】本発明の別実施例１であって、平面図である。
【図１７】本発明の別実施例１であって、側面図である。
【図１８】本発明の別実施例２であって、平面図である。
【図１９】本発明の別実施例２であって、側面図である。
【図２０】本発明の別実施例２であって、作用を示す側面図である。
【図２１】本発明の別実施例２であって、作用を示す側面図である。
【図２２】本発明の別実施例２であって、作用を示す側面図である。
【符号の説明】
１    収穫搬送装置      １ａ、１ｂ  挟持ベルト    ２    肩揃えベルト
３    葉茎切断装置      ３ａ  右切断刃            ３ｂ  左切断刃
４ａ  残葉処理ベルト    ４ｂ  処理ロ−ラ          ５    車体
６    選別コンベヤ      ７    選別供給ベルト    ３０ 残葉処理装置
３０ａ 残葉処理ベルト ３０ｂ 処理ロ−ラ ３２ 選別供給ベルト
４０ コンテナ ４１ コンテナ台 ４２ 選別コンベア
４３ ダンプレバー ４４ テンションクラッチ
４５    選別クラッチレバー
【図１】
0003876716.tif 000002
【図２】
0003876716.tif 000003
【図３】
0003876716.tif 000004
【図４】
0003876716.tif 000005
【図５】
0003876716.tif 000006
【図６】
0003876716.tif 000007
【図７】
0003876716.tif 000008
【図８】
0003876716.tif 000009
【図９】
0003876716.tif 000010
【図１０】
0003876716.tif 000011
【図１１】
0003876716.tif 000012
【図１２】
0003876716.tif 000013
【図１３】
0003876716.tif 000014
【図１４】
0003876716.tif 000015
【図１５】
0003876716.tif 000016
【図１６】
0003876716.tif 000017
【図１７】
0003876716.tif 000018
【図１８】
0003876716.tif 000019
【図１９】
0003876716.tif 000020
【図２０】
0003876716.tif 000021
【図２１】
0003876716.tif 000022
【図２２】
0003876716.tif 000023